(57)【特許請求の範囲】
【請求項１】
レンズを有する意匠部と、光源を有する機能部とを含むとともに、左右のドアに組み付けられて該ドアから所定位置を照明するランプユニットにおいて、
前記機能部に機能側ロック部を設けるとともに、前記意匠部に前記機能部の第一組み付け方向に対して係止する第一意匠側ロック部を有する第一の固定部と第二組み付け方向に対して係止する第二意匠側ロック部を有する第二の固定部とを前記レンズの内面に設け、前記第一の固定部と前記第二の固定部を前記第一組み付け方向及び前記第二組み付け方向に直交する軸線を中心に線対称となる位置に配置し、前記第一意匠側ロック部と前記第二意匠側ロック部とを、前記機能側ロック部に対しいずれも嵌合可能な形状に形成してなる
ことを特徴とするランプユニット。
【請求項２】
請求項１に記載のランプユニットにおいて、
前記意匠部の側方から前記機能部をスライドさせつつ嵌合可能に前記機能側ロック部、前記第一意匠側ロック部、及び前記第二意匠側ロック部を形成してなる
ことを特徴とするランプユニット。
【請求項３】
請求項１又は請求項２に記載のランプユニットにおいて、
前記ドアに組み付けられる部分として複数のロックアーム部を前記意匠部に設けてなるとともに、前記複数のロックアーム部の配設位置として、前記光源の配設位置よりも外側且つ前記レンズの四隅近傍とする
ことを特徴とするランプユニット。
【請求項４】
請求項１、２又は３に記載のランプユニットにおいて、
前記レンズの逆側に位置して前記光源を覆うフード部を前記機能部に設けてなる
ことを特徴とするランプユニット。
【発明の詳細な説明】
【技術分野】
【０００１】
本発明は、レンズを有する意匠部と、光源を有する機能部とを含むランプユニットに関する。
【背景技術】
【０００２】
レンズを有する意匠部と、光源を有するコネクタ部とを含むランプユニットに関しては、例えば下記特許文献１に開示されている。開示技術によれば、ランプユニットは所謂カーテシランプであって、自動車等の車両の左右ドアにそれぞれ組み付けられている。
【先行技術文献】
【特許文献】
【０００３】
【特許文献１】特開２００３−２９１７２２号公報
【発明の概要】
【発明が解決しようとする課題】
【０００４】
ランプユニットは、これを構成する意匠部のレンズ形状やレンズカット形状に方向性を有する場合、左右ドアへのランプ組み付けに係る方向が規制されてしまうことになる。故にランプユニットは、左右ドアへの組み付け時において、光源を含むコネクタ部の向きが左右ドアで異なってしまうことになる。具体的には、図８に示す如くの状態になり、光源を含むコネクタ部の向きが左右ドアで異なってしまうことになる。
【０００５】
図８において、引用符号１は車両の左ドア、２は右ドア、３は左ドア１及び右ドア２にそれぞれ組み付けられるランプユニット、４は光源を有するコネクタ部、５はレンズを有する意匠部、６は電源、７は電源６とランプユニット３、３とを繋ぐワイヤハーネス、をそれぞれ示している。機能部４及び意匠部５は、ランプユニット３を構成するものとなっている。ワイヤハーネス７は、この端末に電気的な接続をするためのコネクタを有している。
【０００６】
ワイヤハーネス７の配索状態から分かるように、ランプユニット３とのコネクタ接続に係る方向が左ドア１及び右ドア２で異なっている。そのため、ドアトリム形状によっては、ワイヤハーネス７の配索が困難になってしまうという虞を有している。
【０００７】
また、ワイヤハーネス７において、例えば引用符号８で示す部分がランプユニット３の内部に入り込んでしまうという虞を有している。特許文献１に開示されたランプユニット３にあっては、左ドア１及び右ドア２への組み付け部分としてのロックアーム部９がレンズ１０の略中央位置に配設されることから、内部への入り込みが起こり易い構造になっている。仮に、引用符号８で示す部分が内部に入り込んで光源１１に接触した場合には、溶損を引き起こしてしまうという虞を有している。
【０００８】
本発明は、上記した事情に鑑みてなされたもので、方向性に関係なく機能部を組み付けることが可能な、また、ワイヤハーネスの入り込みを防止することが可能なランプユニットを提供することを課題とする。
【課題を解決するための手段】
【０００９】
上記課題を解決するためになされた請求項１記載の本発明のランプユニットは、レンズを有する意匠部と、光源を有する機能部とを含むとともに、左右のドアに組み付けられて該ドアから所定位置を照明するランプユニットにおいて、前記機能部に機能側ロック部を設けるとともに、前記意匠部に前記機能部の第一組み付け方向に対して係止する第一意匠側ロック部を有する第一の固定部と第二組み付け方向に対して係止する第二意匠側ロック部を有する第二の固定部とを前記レンズの内面に設け、前記第一の固定部と前記第二の固定部を前記第一組み付け方向及び前記第二組み付け方向に直交する軸線を中心に線対称となる位置に配置し、前記第一意匠側ロック部と前記第二意匠側ロック部とを、前記機能側ロック部に対しいずれも嵌合可能な形状に形成してなることを特徴とする。
【００１０】
このような特徴を有する本発明によれば、意匠部の第一意匠側ロック部と第二意匠側ロック部とを同じ形状に形成する。すなわち、対称な形状に形成し、いずれも機能部の機能側ロック部と嵌合可能にする。機能部を第一組み付け方向から意匠部に組み付けようとすると、機能部の機能側ロック部が意匠部の第一意匠側ロック部に嵌合し、また、機能部を第二組み付け方向から意匠部に組み付けようとすると、機能部の機能側ロック部が意匠部の第二意匠側ロック部に嵌合する。
【００１１】
請求項２記載の本発明のランプユニットは、請求項１に記載のランプユニットにおいて、前記意匠部の側方から前記機能部をスライドさせつつ嵌合可能に前記機能側ロック部、前記第一意匠側ロック部、及び前記第二意匠側ロック部を形成してなることを特徴とする。
【００１２】
このような特徴を有する本発明によれば、意匠部の側方で、この側方の外側から内側へ向けて機能部をスライドさせると、機能側ロック部と第一意匠側ロック部とが嵌合する。又は、機能側ロック部と第二意匠側ロック部とが嵌合する。機能部の嵌合をスライドにて行うようにすると、ドアにランプユニットを組み付ける際に機能部がドア側の部材に押されて嵌合が維持される。及び／又は、ドアにランプユニットを組み付けた後には、ドア側の部材により機能部の抜け方向のスライドが規制される。すなわち、嵌合が維持される。
【００１３】
請求項３記載の本発明のランプユニットは、請求項１又は請求項２に記載のランプユニットにおいて、前記ドアに組み付けられる部分として複数のロックアーム部を前記意匠部に設けてなるとともに、前記複数のロックアーム部の配設位置として、前記光源の配設位置よりも外側且つ前記レンズの四隅近傍とすることを特徴とする。
【００１４】
このような特徴を有する本発明によれば、複数のロックアーム部の存在及び配置により、ランプユニットと電源とを繋ぐワイヤハーネスのユニット内部への入り込みが防止される。
【００１５】
請求項４記載の本発明のランプユニットは、請求項１、２又は３に記載のランプユニットにおいて、前記レンズの逆側に位置して前記光源を覆うフード部を前記機能部に設けてなることを特徴とする。
【００１６】
このような特徴を有する本発明によれば、機能部のフード部にて光源を覆うことにより、光源とワイヤハーネスユニットとの接触が防止される。
【発明の効果】
【００１７】
請求項１に記載された本発明によれば、方向性に関係なく機能部を組み付けることができるという効果を奏する。また、この効果により、取り回しを良好にすることができ、以て作業性の向上を図ることができるという効果を奏する。さらに、本発明によれば、ワイヤハーネスを従来よりも短くすることができるという効果を奏する。
【００１８】
請求項２に記載された本発明によれば、機能部と意匠部との嵌合を良好に維持する一形態を提供することができるという効果を奏する。
【００１９】
請求項３に記載された本発明によれば、ランプユニット内部へのワイヤハーネスの入り込みを防止することができるという効果を奏する。従って、ワイヤハーネスの溶損を防止することができるという効果を奏する。
【００２０】
請求項４に記載された本発明によれば、光源とワイヤハーネスとの接触を防止することができるという効果を奏する。従って、ワイヤハーネスの溶損を確実に防止することができるという効果を奏する。
【図面の簡単な説明】
【００２１】
【図１】本発明のランプユニットに係る図であり、（ａ）はランプユニットの配置図、（ｂ）は機能部を第一組み付け方向から意匠部に組み付ける場合の斜視図、（ｃ）は機能部を第二組み付け方向から意匠部に組み付ける場合の斜視図である。
【図２】ランプユニット及び機能部の図であり、（ａ）はランプユニットの分解斜視図、（ｂ）は機能部を構成するソケットの斜視図である。
【図３】ランプユニット及び意匠部の図であり、（ａ）はランプユニットの斜視図、（ｂ）は意匠部の側面図、（ｃ）は意匠部の背面図である。
【図４】意匠部をドアに組み付ける際の図であり、（ａ）は組み付け直前の斜視図、（ｂ）は組み付け後の斜視図である。
【図５】機能部を意匠部に組み付ける際の図であり、（ａ）は組み付け直前の斜視図、（ｂ）は組み付け後の斜視図である。
【図６】ワイヤハーネスの入り込み防止に係る図であり、（ａ）はランプユニットとワイヤハーネスの斜視図、（ｂ）はランプユニットとワイヤハーネスの側面図である。
【図７】図６に対する比較例の図であり、（ａ）は比較例のランプユニットとワイヤハーネスの斜視図、（ｂ）は比較例のランプユニットとワイヤハーネスの側面図である。
【図８】従来例のランプユニットに係る図であり、（ａ）は従来例のランプユニットの配置図、（ｂ）は従来例のランプユニットの斜視図である。
【発明を実施するための形態】
【００２２】
ランプユニットは、レンズを有する意匠部と、光源を有する機能部とを含んで構成されている。意匠部には、機能部を嵌合させるための同一形状のロック部が左右対称に配置形成されている。ランプユニットは、この内部にワイヤハーネスが入り込まないような構造を有している。
【実施例】
【００２３】
以下、図面を参照しながら実施例を説明する。図１は本発明のランプユニットに係る図である。また、図２はランプユニット及び機能部の図、図３はランプユニット及び意匠部の図、図４は意匠部をドアに組み付ける際の図、図５は機能部を意匠部に組み付ける際の図、図６はワイヤハーネスの入り込み防止に係る図、図７は図６に対する比較例の図である。
【００２４】
図１において、引用符号２１は本発明に係るランプユニットを示している。ランプユニット２１は、自動車等の車両の左ドア２２及び右ドア２３の組み付け対象部２４にそれぞれ組み付けられて、左ドア２２、右ドア２３から所定位置を照明することができるようになっている。ランプユニット２１は、本実施例においてカーテシランプとして機能するものとなっている。ランプユニット２１は、意匠部２５と、機能部２６とを含んで構成されている。ランプユニット２１は、ワイヤハーネス２７を介して電源２８に接続されている。
【００２５】
ランプユニット２１は、以下の説明から分かるようになるが、方向性に関係なく機能部２６を組み付けすることができるようになっている。すなわち、矢印Ｐで示す第一組み付け方向及び矢印Ｑで示す第二組み付け方向のいずれであっても、機能部２６を意匠部２５に嵌合させて組み付けをすることができるようになっている。先ず、ランプユニット２１の構成及び構造について説明をする。
【００２６】
図２及び図３において、ランプユニット２１を構成する意匠部２５は、光透過性を有する合成樹脂製のレンズ２９を備えて構成されている（本実施例では用いてないが、例えばベゼル等を含んでいてもよいものとする）。レンズ２９は、平面的に見ると矩形状で且つ側方から見ると「く」字状に曲がるレンズ本体３０と、このレンズ本体３０の内面３１に一体化する一対の固定部３２とを有して図示の形状に形成されている（形状は一例であるものとする）。このようなレンズ２９は、レンズ本体３０の形状が方向性を有するように形成されている（図３（ｂ）参照）。レンズ本体３０には、レンズカット（図示省略）が形成されている。
【００２７】
一対の固定部３２は、「く」字状に曲がるレンズ本体３０の曲げ部３３を跨ぐような略ブリッジ形状に形成されている。一対の固定部３２は、中心線ＣＬ（図３（ｃ）参照）に対して左右対称（線対称）となる形状に形成されている。一対の固定部３２は対称形状であることから、以下、一方の固定部３２について説明をする。
【００２８】
固定部３２は、台座部３４と、この台座部３４の中央位置に設けられる意匠側ロック部３５と、同じく台座部３４の固定脚部位置に設けられる一対のロックアーム部３６とを有している。意匠側ロック部３５は、機能部２６の嵌合部分であって、可撓性を有する差し込み板部３７と、この差し込み板部３７を貫通するように形成される嵌合孔３８とを有している。意匠側ロック部３５は、矢印Ｐで示す第一組み付け方向及び矢印Ｑで示す第二組み付け方向（図１（ｂ）及び（ｃ）参照）に対応するように、一方を第一意匠側ロック部３５ａ、他方を第二意匠側ロック部３５ｂとするものとする。尚、意匠側ロック部３５（第一意匠側ロック部３５ａ、第二意匠側ロック部３５ｂ）は、嵌合構造（係止構造）となれば特に形状は限定されないものとする。
【００２９】
一対のロックアーム部３６は、左ドア２２及び右ドア２３の組み付け対象部２４（図１（ｂ）及び（ｃ）参照）に対する嵌合部分であって、可撓性を有するアーム形状に形成されている。一対のロックアーム部３６は、レンズ本体３０の隅位置３９に近い側に配設されている。また、一対のロックアーム部３６は、組み付け対象部２４における嵌合枠部４０の隅位置４１（図１（ｂ）及び（ｃ）参照）に係止突起部４２が引っ掛かるようにも配設されている。
【００３０】
このような一対のロックアーム部３６は、電線規制部４３を有している。電線規制部４３は、一対のロックアーム部３６よりも内側にワイヤハーネス２７の入り込みがないようにするための部分として設けられている。
【００３１】
ランプユニット２１を構成する機能部２６は、光源４４と、バスバー４５と、ソケット４６とを備えて構成されている。機能部２６は、意匠部２５における固定部３２の一対のロックアーム部３６よりも幅狭な形状に形成されている。
【００３２】
光源４４は、例えばバルブやＬＥＤ等の、電力の供給によって光る電気部品であって、発光部４７と、電気接続部４８とを有している。
【００３３】
バスバー４５は、光源４４とソケット４６の後述するコネクタ部５１とを繋ぐ回路部品であって、導電性を有する金属板を所定形状に曲げて形成されている。バスバー４５は、光源接続部４９及びコネクタ端子部５０を有している。
【００３４】
ソケット４６は、絶縁性を有する合成樹脂製の部品であって、コネクタ部５１と、フード部５２とを一体に有している。コネクタ部５１は、ワイヤハーネス２７の端末のコネクタ５３をコネクタ嵌合させるためのコネクタ嵌合部５４と、光源４４を装着するための光源装着部５５と、バスバー４５を収容するバスバー収容部５６と、意匠側ロック部３５（第一意匠側ロック部３５ａ、第二意匠側ロック部３５ｂ）に嵌合する機能側ロック部５７とを有している。
【００３５】
機能側ロック部５７は、上記の如く意匠側ロック部３５に嵌合する部分であって、意匠側ロック部３５の差し込み板部３７が差し込まれる差し込み穴部５８と、意匠側ロック部３５の嵌合孔３８を引っ掛けて係止するロッキングアーム部５９とを有している。
【００３６】
フード部５２は、意匠部２５におけるレンズ本体３０の逆側に位置して光源４４を覆う部分であって、略半円筒形状に形成されている。フード部５２は、略半円筒形状の半径が意匠部２５における固定部３２の一対のロックアーム部３６の間隔よりも若干狭くなるように寸法設定がなされている。すなわち、ワイヤハーネス２７の入り込みを規制することができるように寸法設定がなされている（図６を参照しながら後述する）。
【００３７】
図４において、組み付け対象部２４は、ランプユニット２１に対する組み付け対象部分であって、上記の如く嵌合枠部４０を有している。嵌合枠部４０の四つの隅位置４１には、ランプユニット２１における意匠部２５の合計四つのロックアーム部３６が引っ掛かるようになっている。組み付け対象部２４の引用符号６０は、ランプユニット２１における機能部２６に対する逃がし部を示している。逃がし部６０は、所定深さの溝形状に形成されている。
【００３８】
次に、上記構成及び構造に基づきながらランプユニット２１の組み付けについて説明をする。
【００３９】
図４（ａ）において、組み付け対象部２４の開口部６１の位置に合わせて意匠部２５を配置し、この意匠部２５を一対の固定部３２側から開口部６１に押し込むと、四つのロックアーム部３６が嵌合枠部４０の四つの隅位置４１に引っ掛かり、これによって図４（ｂ）に示す如く意匠部２５の組み付けが完了する。この時、レンズ本体３０の外面６２は、組み付け対象部２４の外面６３に対して面一となる。
【００４０】
組み付け対象部２４の内面６４側において、図５（ａ）に示す如く機能部２６を矢印Ｐで示す第一組み付け方向からスライド移動させるようにして意匠部２５に嵌合させると、これにより図５（ｂ）に示す如く機能部２６の組み付けが完了するとともに、ランプユニット２１の組み付けも完了する。機能部２６の意匠部２５への嵌合にあっては、機能部２６の機能側ロック部５７が意匠部２５の意匠側ロック部３５に嵌合することにより完了する。
【００４１】
尚、矢印Ｑで示す第二組み付け方向（図１（ｃ）参照）からの機能部２６の組み付けに関しては、上記説明に対し方向が異なるだけなので省略するものとする。
【００４２】
上記の組み付けは、先ず意匠部２５を組み付け対象部２４に組み付け、次に機能部２６を意匠部２５に嵌合させる手順であるが、これに限らないものとする。すなわち、先ず機能部２６を意匠部２５に嵌合させてランプユニット２１にしてから、次にランプユニット２１を組み付け対象部２４に組み付ける手順であってもよいものとする。
【００４３】
機能部２６は、上記組み付けにより例えばソケット４６の後端がドア部品（サイレンサ等）にて押されると、抜け方向のスライドが規制され、これによって機能部２６及び意匠部２５の嵌合状態が維持される。
【００４４】
続いて、上記構成及び構造に基づきながらワイヤハーネス２７の内部への入り込み防止について説明をする。
【００４５】
図６において、ランプユニット２１は、意匠部２５の合計四つのロックアーム部３６及び電線規制部４３の配置や構造により、ワイヤハーネス２７の内部への入り込みを防止することができるようになっている。また、ランプユニット２１は、機能部２６にフード部５２を有することから、これによってもワイヤハーネス２７の内部への入り込みを防止することができるようになっている。従って、ワイヤハーネス２７は光源４４に接触することがなく、結果、ワイヤハーネス２７の溶損を防止することができるようになっている。
【００４６】
仮に、図７で示す如くの比較例となるランプユニット１０１の場合にあっては、ロックアーム部１０２がレンズ１０３の略中央位置に配設されていることから、ワイヤハーネス１０４の内部への入り込みが起こってしまうという虞がある。そして、ワイヤハーネス１０４が光源１０５に接触すると、この溶損が生じてしまうという虞がある。
【００４７】
以上、図１ないし図７を参照しながら説明してきたように、ランプユニット２１によれば、矢印Ｐで示す第一組み付け方向及び矢印Ｑで示す第二組み付け方向のいずれであっても、機能部２６を意匠部２５に嵌合させて組み付けをすることができる。また、方向性に関係なく機能部２６を組み付けすることができることから、取り回しを良好にすることもできる。従って、ランプユニット２１は、従来に比べ作業性の向上を図ることができる。さらに、ランプユニット２１によれば、ワイヤハーネス２７を従来より短くすることができる。
【００４８】
この他、ランプユニット２１によれば、ロックアーム部３６及び電線規制部４３の配置や構造により、内部へのワイヤハーネス２７の入り込みを防止することができる。また、ランプユニット２１によれば、フード部５２を有することから、光源４４とワイヤハーネス２７との接触をより一層確実に防止することができる。従って、ランプユニット２１によれば、ワイヤハーネス２７の溶損を防止することができる。
【００４９】
本発明は本発明の主旨を変えない範囲で種々変更実施可能なことは勿論である。
【符号の説明】
【００５０】
Ｐ…第一組み付け方向
Ｑ…第二組み付け方向
２１…ランプユニット
２２…左ドア
２３…右ドア
２４…組み付け対象部
２５…意匠部
２６…機能部
２７…ワイヤハーネス
２８…電源
２９…レンズ
３０…レンズ本体
３１…内面
３２…固定部
３３…曲げ部
３４…台座部
３５…意匠側ロック部
３５ａ…第一意匠側ロック部
３５ｂ…第二意匠側ロック部
３６…ロックアーム部
３７…差し込み板部
３８…嵌合孔
３９…隅位置
４０…嵌合枠部
４１…隅位置
４２…係止突起部
４３…電線規制部
４４…光源
４５…バスバー
４６…ソケット
４７…発光部
４８…電気接続部
４９…光源接続部
５０…コネクタ端子部
５１…コネクタ部
５２…フード部
５３…コネクタ
５４…コネクタ嵌合部
５５…光源装着部
５６…バスバー収容部
５７…機能側ロック部
５８…差し込み穴部
５９…ロッキングアーム部
６０…逃がし部
６１…開口部
６２、６３…外面
６４…内面
【図１】
0005666333.tif 000002
【図２】
0005666333.tif 000003
【図３】
0005666333.tif 000004
【図４】
0005666333.tif 000005
【図５】
0005666333.tif 000006
【図６】
0005666333.tif 000007
【図７】
0005666333.tif 000008
【図８】
0005666333.tif 000009